(57)【要約】      （修正有）【課題】多様な使用方法を提供することができるポータブル電子装置の保護カバーサポートフレームを提供する。【解決手段】ポータブル電子装置の保護カバーサポートフレームは、少なくとも１個の保護カバー本体、サポート蓋体、回転軸ユニットを備え、保護カバー本体内部周縁には、Ｕ型収容槽Ａを環状に設置し、これにより電子装置の本体を収容設置してカバーする。さらに、保護カバー本体２下半部２２は、電子装置の背面を覆い、回転軸ユニットは２個の回転軸機構により構成し、回転軸機構の一端は保護カバー本体の一辺側Ｄに固定し、反対端はサポート蓋体の底側３１に固定し、これによりサポート蓋体は、３６０度以下の角度調整空間を備える。使用者は必要に応じて電子装置のスクリーンを保護し、或いは調整して立たせる位置まで開き、見易くすることができる。またサポート蓋体を保護カバー本体背面に完全に密着させ収納することができ、或いは握持可能として握持して使用することもできる。【選択図】図３
0003160815.tif 000002
【実用新案登録請求の範囲】
【請求項１】
少なくとも１個の保護カバー本体、サポート蓋体、回転軸ユニットを備え、
前記保護カバー本体には、枠体とウィンドウ孔を設置し、前記保護カバー本体の内部周縁には、U型収容槽を環状に設置し、これにより電子装置の本体を収容設置してカバーすることができ、
前記サポート蓋体の底側両端には、可動接続部をそれぞれ設置し、前記底側側縁からは、蓋板を延伸し、
前記回転軸ユニットは、２個の回転軸機構により構成し、前記回転軸機構の一端は、前記保護カバー本体の一辺側に固定し、反対端は、前記サポート蓋体の底側の可動接続部に固定することを特徴とするポータブル電子装置の保護カバーサポートフレーム。
【請求項２】
前記サポート蓋体上には、握持孔を設置することを特徴とする請求項１に記載のポータブル電子装置の保護カバーサポートフレーム。
【請求項３】
前記保護カバー本体は、上半部が、下半部に嵌合して組成することを特徴とする請求項１に記載のポータブル電子装置の保護カバーサポートフレーム。
【請求項４】
前記保護カバー本体において、その辺側上には、前記回転軸ユニットと可動状態で接続する２個の固定部を設置し、
前記２個の固定部は、前記保護カバー本体の側辺上に設置する２個の上台体と、前記保護カバー本体の対応する位置に設置する２個の下台体により組成することを特徴とする請求項１に記載のポータブル電子装置の保護カバーサポートフレーム。
【請求項５】
前記２個の回転軸機構の内の少なくとも１個の回転軸機構は、抵抗式回転軸であることを特徴とする請求項１に記載のポータブル電子装置の保護カバーサポートフレーム。
【請求項６】
前記上半部周縁は、垂直方向に延伸して第一側縁を形成し、前記第一側縁末端には、第一辺フックを設置し、
前記下半部周縁は、垂直方向に延伸して第二側縁を形成し、前記第二側縁末端には、第二辺フックを設置し、
前記第二辺フックは、前記第一辺フックと相互に嵌合して結合し、U型収容槽を形成することを特徴とする請求項３に記載のポータブル電子装置の保護カバーサポートフレーム。
【請求項７】
前記保護カバー本体にはさらに、収納欠口を設置し、前記サポート蓋体を収容設置することを特徴とする請求項１に記載のポータブル電子装置の保護カバーサポートフレーム。
【考案の詳細な説明】
【技術分野】
【０００１】
本考案はポータブル電子装置の保護カバーサポートフレームに関し、特に電子装置のパネルを保護することができ、或いは使用の必要に応じて、その直立を支えることができる保護カバーサポートフレームで、迅速に折り畳み収納でき、展開が容易で、持ち手として使用することができるなどの多様な実用性能を備えるポータブル電子装置の保護カバーサポートフレームに関する。
【背景技術】
【０００２】
コンピューターの発展は、コンピューター室からパーソナルコンピューターへ、ノートPCへ、さらにはスマートフォン、タブレットPCへと進んでいる。図１に示すスマートフォンなどのタッチパネル式ポータブル電子装置１では、タッチパネル１０の技術により、使用者はコンピュータースクリーン上において目標の項目を直感的に直接選択することができ、また指２本以上を開き、或いは寄せる動作により、パネル１０上の画像或いは文字を拡大及び縮小することができる。この種のパネル１０上において直接選択する操作方式は、使用者とパネル１０との距離は近づけた。従来のコンピューター使用者とスクリーンとの間は、キーボード操作方式が隔てていたため、タッチパネルを操作インターフェースとするポータブル電子装置１のようには素早くはない。さらに、ポータブル電子装置１は、単純な板体構造であるため、使用者は気の向くままにパネル１０において、タッチ及び操作を行うことができる。
【０００３】
ポータブル電子装置１は、構造がシンプルで外観はスマートであるため、多くの消費者をひきつけている。しかし、その外表面は、キズがつきやすく、或いは汚れ易く、美観に悪影響を及ぼし易い。そのため、市場では、各種材質により製造されたポータブル電子装置１の保護カバーが見られる。これら保護カバーは通常は、ポータブル電子装置１の背面をカバーし、ディスプレー部分を中空として操作可能とし、こうして本体表面の美観を保護している。また、多くのポータブル電子装置１は、そのものが板体構造で、別にサポート装置を備えないため、タブレットPCなどの比較的大型の装置では、使用者は随時片手でコンピューターの重量を支え、もう一方の手で操作しなければならない。さらには、机上或いはももの上に置く時でさえ、使用者が手で本体を支えなければ、表示ディスプレーを立たせて、使用者にとって最良のビュー角度にしておくことはできない。しかし、これは極めて不便で、長時間使用すれば、使用者の手や腕は疲労してしまう。しかも、ポータブル電子装置１は、常に手に持って使用するものであるため、両手には、操作する以外に、落としてしまわないようしっかり持って支える役割もあるため、長く持っていると、手がしびれてしまう。加えて、このタイプのポータブル電子装置１は、製品の美観のため、通常は外表面に滑らかな円弧を描く流線を設計するが、これが手で持つためには不利になっている。
【０００４】
さらに、一般のタブレットPCの主要な設計は、使用者が手で持って使用するようになっており、一般的な１０型スクリーンのタブレットPCでは、その通常サイズは18cm×24cm、重さは最少500gで、片手でタブレットPCの片側をつかみ持ち、反対の手でコンピューターのタッチパネルを操作するには便利である。しかし、スクリーンの一辺をつかむ手は、コンピューターの重量を支える必要があるばかりか、手で持つ位置にはコンピューターの重心がないため、地球の重力が引き起こしてこの力を支える必要もあり、手への負荷を拡大し、手が支えることができる時間を減らしてしまっている。こうして、使用者の手及び腕の疲労と負担を招いている。本考案は、従来のポータブル電子装置使用における上記した欠点に鑑みてなされたものである。
本考案は、従来の自動車用メディアデバイスの上記した欠点に鑑みてなされたものである。
【考案の概要】
【考案が解決しようとする課題】
【０００５】
本考案が解決しようとする課題は、電子装置のパネルを保護することができ、見易い位置に立たせることができ、収納及び握持に便利なポータブル電子装置の保護カバーサポートフレームを提供することである。
【課題を解決するための手段】
【０００６】
上記課題を解決するため、本考案は下記のポータブル電子装置の保護カバーサポートフレームを提供する。
ポータブル電子装置の保護カバーサポートフレームは、少なくとも１個の保護カバー本体、サポート蓋体、回転軸ユニットを備え、
該保護カバー本体内部周縁には、U型収容槽を環状に設置し、これにより電子装置の本体を収容設置してカバーすることができ、しかも、該保護カバー本体下半部は、電子装置の背面を覆い、
該回転軸ユニットは、２個の回転軸機構により構成し、該回転軸機構の一端は該保護カバー本体の一辺側に固定し、反対端は該サポート蓋体の底側に固定し、
これにより、該サポート蓋体は、360度以下の角度調整空間を備え、使用者は必要に応じて該サポート蓋体を前方へと回し、電子装置のスクリーンを保護し、或いは調整して立たせる位置まで開き、見易くすることができ、また該サポート蓋体を該保護カバー本体背面に完全に密着させ収納することができ、或いは握持可能として握持して使用することもでき、多様な使用方法を提供することができ、
該保護カバー本体は、上半部が下半部に嵌合して組成し、該上半部は、硬質材料(プラスチック、ABS、PC、金属材料など)により製造し、最適なサポート強度を備えるため、電子装置の重量を支えることができ、該下半部は、軟質材料(ゴム、皮革状材料など)により製造し、弾性を備えるため、電子装置を該保護カバー本体内に入れ易く、
該サポート蓋体の底側には、該回転軸機構を固定し、反対側にはさらに、握持孔を設置し、使用者はこれに指を入れて握持することができ、該握持孔の幅は、3cm以上、長さは8cm以上であるため、該サポート蓋体を外に向い水平位置或いは水平に近い位置まで開くと、ちょうど使用者の指は握持孔に入り、使用者の手や腕の負担を軽減し、電子装置のサポートと操作の便を図ることができ、
該回転軸ユニットは、２個の回転軸機構により組成し、該２個の回転軸機構の内の少なくとも１個は抵抗式回転軸で、バネにより可動スライドブロックを押さえることで、該サポート蓋体に360度以下の角度調整空間を提供し、いかなる角度位置に調整しようとも、外力の作用を受けない状態では、電子装置と保護カバーサポートフレーム全体の重量を支えることができ、角度のずれは発生しない。
【考案の効果】
【０００７】
本考案ポータブル電子装置の保護カバーサポートフレームは、電子装置のパネルを保護することができ、見易い位置に立たせることができ、収納及び握持に便利である。
【図面の簡単な説明】
【０００８】
【図１】従来のポータブル電子装置の立体図である。
【図２】本考案第一実施例の立体分解図である。
【図３】本考案第一実施例の立体図である。
【図４】本考案第一実施例の回転軸機構の立体分解図である。
【図５】本考案第一実施例の回転軸機構の局部を示す組合せ断面図(一)である。
【図６】本考案第一実施例の回転軸機構の局部を示す組合せ断面図(二)である。
【図７】本考案第一実施例のサポート蓋体の回転角度を示す表示図である。
【図８】本考案第一実施例の操作を示す表示図(一)である。
【図９】本考案第一実施例の操作を示す表示図(二)である。
【図１０】本考案第二実施例の立体分解図である。
【図１１】本考案第二実施例の操作表示図である。
【考案を実施するための形態】
【０００９】
以下に図面を参照しながら本考案を実施するための最良の形態について詳細に説明する。
【実施例】
【００１０】
図２、３に示すように、保護カバー本体２、サポート蓋体３、回転軸ユニット４を備える。
【００１１】
保護カバー本体２は、その上半部２１に、枠体２１１とウィンドウ孔２１０を設置する。保護カバー本体２の内部周縁には、U型収容槽Aを環状に設置し、これにより電子装置５の本体を収容設置してカバーすることができる。しかも、保護カバー本体２の下半部２２は、電子装置５の背面を覆い、下半部２２はさらに、少なくとも１個の収納欠口２２６を設置する。
【００１２】
サポート蓋体３の底側３１両端には、可動接続孔３２をそれぞれ設置する。底側３１側縁から、蓋板３０を延伸し、蓋板３０上には、握持孔３０１を設置する。回転軸ユニット４は、２個の回転軸機構４０により構成する。回転軸機構４０の一端は、保護カバー本体２の一辺側Dに固定し、反対端は、サポート蓋体３の底側３１の可動接続孔３２に固定する。
【００１３】
上記した本考案の保護カバー本体２は、上半部２１が、下半部２２に嵌合して組成する。上半部２１周縁は、垂直方向に延伸して第一側縁２１２を形成し(図５参照)、第一側縁２１２末端には、第一辺フック２１３を設置する。下半部２２周縁は、垂直方向に延伸して第二側縁２２１を形成し、第二側縁２２１末端には、第二辺フック２２２を設置する。第二辺フック２２２は、第一辺フック２１３と相互に嵌合して結合し、電子装置５を収容してカバーすることができるU型収容槽Aを形成する。
【００１４】
上記した本考案の回転軸ユニット４は、２個の回転軸機構４０により構成し、少なくとも１個の回転軸機構４０は、抵抗式回転軸で、固定台４１、固定スライドブロック４２、可動スライドブロック４３、バネ４４、軸棒４５、ナット４６により組成する。固定台４１は、L型側板４１０下縁から平板４１４を延伸して構成する台体で、その片側には、軸孔４１１を設置する。軸孔４１１片側は、水平槽４１２を延伸し、反対側は、水平欠口４１３を延伸する。平板４１４上には、少なくとも１個の穿孔４１５を設置する。
【００１５】
固定スライドブロック４２には、穿孔４２１を設置し、その片側には、対応する２個の凸ブロック４２２、４２３を設置し、水平槽４１２と水平欠口４１３にそれぞれ嵌入する。固定スライドブロック４２の反対側には、弧状起伏を備える第一密着接合面４２４を設置する。可動スライドブロック４３には、穿孔４３１を設置し、その片側には、弧状起伏を備える第二密着接合面４３２を設置し、固定スライドブロック４２の第一密着接合面４２４と対応して、密着接合する。
【００１６】
バネ４４の一端は、可動スライドブロック４３を押し、反対端は、軸棒４５の端面４５５を押す。軸棒４５の片側には、方形棒体４５１を備える。方形棒体４５１末端には、ネジヤマ部分４５２を設置し、ナット４６により螺合し、軸棒４５反対側は、扁形固定ヘッド４５３で、その上には、長槽孔４５４を設置する。
【００１７】
上記した本考案の保護カバー本体２において、その辺側D上には、回転軸ユニット４と可動状態で接続する２個の固定部Cを設置する。２個の固定部Cは、上半部２１の側辺２１４上に設置する２個の上台体２１５と、下半部２２の対応する位置に設置する２個の下台体２２３により組成する。下台体２２３は、平面２２４を備え、これに固定台４１の平板４１４を設置する。平面２２４上には、少なくとも１個の穿孔２２５を設置し、穿孔２２５は、上台体２１５のネジ孔２１６と対応し、ネジBを螺入して固定する。
【００１８】
上記した本考案のサポート蓋体３において、その可動接続孔３２の前部分は円孔３３１で、後部分は、扁形孔３３２である穿孔を延伸する。これにより、軸棒４５は、扁形固定ヘッド４５３を備える一端を挿入することができ、ネジBを、扁形孔３３２片側のネジ孔３２３に挿入して螺合する。
【００１９】
組み立て時には、回転軸機構４０の軸棒の扁形固定ヘッド４５３一端を、サポート蓋体３の可動接続孔３２に挿入し、ネジBをネジ孔３２３に螺入する。さらに、固定台４１を、上台体２１５と下台体２２３との間に設置し、ネジBにより螺合して固定する(図５、６参照)。
【００２０】
上記した部品の組合せにより、サポート蓋体３は、360度以下の角度調整空間を備える(図７参照)。２個の回転軸機構４０中の少なくとも１個は、抵抗式回転軸であるため、バネ４４が可動スライドブロック４３を押すことを利用して、可動スライドブロック４３の第二密着接合面４３２を、固定スライドブロック４２の第一密着接合面４２４に密着接合させる。しかも、第一密着接合面４２４と第二密着接合面４３２とは、弧状起伏を備える表面であるため、外力の作用を受けない状態では、バネ４４の弾力圧迫力は、電子装置５と保護カバーサポートフレーム全体の重量より大きい。よって、サポート蓋体３を支え、いかなる角度に開いても、角度がずれることのないよう維持することができる。
【００２１】
本考案の使用者は、使用の必要に応じて、サポート蓋体３を前方へと開き、電子装置５のスクリーンを保護し、或いは、サポート蓋体３を調整して、電子装置５を立たせる位置(図８参照)まで開くことができる。また、サポート蓋体３を外に向わせ水平位置付近まで開くことで、使用者は、指を握持孔３０１に入れることができ、タッチパネル５１の操作を行う際に、便利に握持して支えることができる(図９参照)。
【００２２】
図１０、１１は、本考案の第二実施例を示す。本考案第二実施例の保護カバー本体２’の下半部２２’上には、異なる向きの２個の収納欠口２２６’を設置し、これに２個のサポート蓋体３’を収納して、蓋をすることができる。同時に、手でサポート蓋体３’を開く際の便を図るため、収納欠口２２６’の頂点部にはさらに、小欠口２２７’を延伸する。これにより、サポート蓋体３’が閉まった状態である時、スムーズに外側へと開くことができる。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２４】
本考案は実用新案の要件である新規性を備え、従来の同類製品に比べ十分な進歩を有し、実用性が高く、社会のニーズに合致しており、産業上の利用価値は非常に大きい。
【符号の説明】
【００２５】
１  電子装置
１０  パネル
２、２’  保護カバー本体
２１  上半部
２１０  ウィンドウ孔
２１１  枠体
２１２  第一側縁
２１３  第一辺フック
２１４  側辺
２１５  上台体
２１６  ネジ孔
２２、２２’  下半部
２２１  第二側縁
２２２  第二辺フック
２２３  下台体
２２４  平面
２２５  穿孔
２２６、２２６’  収納欠口
２２７’  小欠口
３、３’  サポート蓋体
３０  蓋板
３０１  握持孔
３１  底側
３２  可動接続孔
３２１  円孔
３２２  扁形孔
３２３  ネジ孔
４  回転軸ユニット
４０  回転軸機構
４１  固定台
４１０  L型側板
４１１  軸孔
４１２  水平槽
４１３  水平欠口
４１４  平板
４１５  穿孔
４２  固定スライドブロック
４２１  穿孔
４２２、４２３  凸ブロック
４２４  第一密着接合面
４３  可動スライドブロック
４３１  穿孔
４３２  第二密着接合面
４５  軸棒
４５１  方形棒体
４５２  ネジヤマ部分
４５３  扁形固定ヘッド
４５４  長槽孔
４５５  端面
４６  ナット
５  電子装置
５１  パネル
A  U型収容槽
B  ネジ
C  固定部
D  辺側
【図１】
0003160815.tif 000003
【図２】
0003160815.tif 000004
【図３】
0003160815.tif 000005
【図４】
0003160815.tif 000006
【図５】
0003160815.tif 000007
【図６】
0003160815.tif 000008
【図７】
0003160815.tif 000009
【図８】
0003160815.tif 000010
【図９】
0003160815.tif 000011
【図１０】
0003160815.tif 000012
【図１１】
0003160815.tif 000013